(57)【要約】【目的】風車の傾斜角を容易且つ迅速に計測することができる遊技機における風車傾斜角計測ゲージを提供する。【構成】遊技盤１の盤面に当接する当接部２１と、計測窓部２５ａが設けられた計測部２５と、計測部２５を支持する支持部２３と、を備え、当接部２５には、風車取付用釘１１ａ〜ｃに当接することによって位置決めするための位置決め部を設け、位置決めされた風車取付用釘１１ａ〜ｃの断面中心と計測窓部２５ａの中心は、何れも当接面２１ａに対する１本の垂直線上に位置するように構成することで、計測窓部２５ａの中心と計測窓部２５ａから覗ける風車取付用釘１１ａ〜ｃの中心位置を比較することによってずれの有無またはずれの程度に基づき、風車１０ａ〜ｃの傾斜角を容易且つ迅速に計測することができる。【選択図】        図５
2004283502.tif 000002
【特許請求の範囲】
【請求項１】
遊技球を発射することにより遊技が行われる遊技機にて前記遊技球が落下する遊技盤面に植設される釘により回動自在に軸支されると共に前記遊技球の落下方向を変更する風車の前記遊技盤面に対する傾斜角を計測する風車傾斜角計測ゲージであって、
前記遊技盤面に当接する当接面を備えた当接部と、
前記風車の前記遊技盤面側と逆の表層面に面すると共に前記風車の前記遊技盤面に対する傾斜角を計測するための計測窓部が設けられた計測部と、
前記計測部を前記当接部に対して所定の位置で支持する支持部と、を備え、
前記当接面と前記計測窓部の前記釘側の周縁部との距離は、前記釘が前記遊技盤面に植設されたときの前記遊技盤面から前記風車の前記表層面まで、及び該風車を軸支する前記釘の頭頂部までの何れの長さより長く、
前記計測窓部は、前記釘の頭部より大きな形状に形成され、
前記当接部には、前記釘に当接することによって、前記釘の断面中心と前記計測窓部の中心を何れも前記当接面に対する１本の垂直線上に位置決めする位置決め部を設けることを特徴とする遊技機における風車傾斜角計測ゲージ。
【請求項２】
前記計測部は前記支持部に対して移動可能に設けられ、前記計測部と前記支持部が形成する角度の変更が可能であることを特徴とする請求項１に記載の遊技機における風車傾斜角計測ゲージ。
【請求項３】
前記当接部には、前記釘に前記位置決め部を誘導する誘導溝を設け、該誘導溝に設けられた導入部は外側方向に拡がる傾斜状に形成されることを特徴とする請求項１または請求項２に記載の遊技機における風車傾斜角計測ゲージ。
【請求項４】
前記計測窓部の周囲である計測窓周辺部は、前記計測窓部の中心点を中心とする円形状に形成されると共に、前記計測窓周辺部の直径寸法値は前記風車の直径寸法値より小さいことを特徴とする請求項１乃至請求項３に記載の遊技機における風車傾斜角計測ゲージ。
【請求項５】
前記計測窓部の周囲である計測窓周辺部には、前記計測窓部の中心点を中心とする複数の円弧状に形成されるスリットを、前記計測窓部の中心から所定間隔ごとに設けることを特徴とする請求項１乃至請求項４に記載の遊技機における風車傾斜角計測ゲージ。
【請求項６】
少なくとも前記計測部を、透過性を備えた素材により形成することを特徴とする請求項１乃至請求項５に記載の遊技機における風車傾斜角計測ゲージ。
【請求項７】
前記計測窓部の周囲である前記計測窓周辺部には、前記計測窓部の中心点を中心として半径寸法の異なる複数の円弧状に形成されるラインを、前記計測窓部の中心から所定間隔ごとに設けることを特徴とする請求項１乃至請求項６に記載の遊技機における風車傾斜角計測ゲージ。
【発明の詳細な説明】
【０００１】
【発明の属する技術分野】
本発明は、遊技球を発射することにより遊技が行われる遊技機にて前記遊技球が落下する遊技盤面に植設される釘により回動自在に軸支されると共に前記遊技球の落下方向を変更する風車の前記遊技盤面に対する傾斜角を計測する風車傾斜角計測ゲージに関するものである。
【０００２】
【従来の技術】
従来、遊技機部品の計測ゲージとして、釘の傾斜角度を計測するゲージ（例えば、特許文献１参照。）は提案されている。
【０００３】
【特許文献１】
特開２０００−３１７０６０号公報（第３頁、図５）
【０００４】
【発明が解決しようとする課題】
上記したように、従来より提案されてきたものは釘の傾斜角度を計測するゲージであって、釘と同様に遊技盤面上に設けられる風車の傾斜角度を計測するゲージは、提案されていなかった。そこで、止む無く上記した釘の傾斜角度を計測するゲージを代用して計測を試みてはみるものの、風車自体が障害となり、計測作業は頗る困難となっていた。更に、風車の傾斜角は、上記した釘の傾斜角と同様に、遊技機の性能並びに品質を左右する重要な調整事項の一つであるため、風車の傾斜角を容易且つ迅速に計測することが出来る方法が要求されるようになった。本発明は、上記した事情に鑑みなされたもので、その目的とするところは、風車の傾斜角を容易且つ迅速に計測することができる遊技機における風車傾斜角計測ゲージを提供することにある。
【０００５】
【課題を解決するための手段】
上記目的を達成するために、請求項１の発明においては、遊技球を発射することにより遊技が行われる遊技機にて前記遊技球が落下する遊技盤面（遊技盤１の盤面）に植設される釘（風車取付用釘１１ａ、１１ｂ、１１ｃ）により回動自在に軸支されると共に前記遊技球の落下方向を変更する風車（風車１０ａ、１０ｂ、１０ｃ）の前記遊技盤面に対する傾斜角を計測する風車傾斜角計測ゲージ（風車傾斜角計測ゲージ２０、３１）であって、前記遊技盤面に当接する当接面（遊技盤当接面２１ａ）を備えた当接部（当接部２１）と、前記風車の前記遊技盤面側と逆の表層面（風車表層面部１３ａ、１３ｂ、１３ｃ）に面すると共に前記風車の前記遊技盤面に対する傾斜角を計測するための計測窓部（計測窓部２５ａ、３５ａ）が設けられた計測部（計測部２５，３５）と、前記計測部を前記当接部に対して所定の位置で支持する支持部（支持部２３）と、を備え、前記当接面と前記計測窓部の前記釘側の周縁部（計測窓周縁部２５ｃ、３５ｃ）との距離は、前記釘が前記遊技盤面に植設されたときの前記遊技盤面から前記風車の前記表層面まで、及び該風車を軸支する前記釘の頭頂部（風車取付用釘頭頂部１５ａ、１５ｂ、１５ｃ）までの何れの長さより長く、前記計測窓部は、前記釘の頭部（風車取付用釘頭部１４ａ、１４ｂ、１４ｃ）より大きな形状に形成され、前記当接部には、前記釘に当接することによって、前記釘の断面中心と前記計測窓部の中心を何れも前記当接面に対する１本の垂直線上に位置決めする位置決め部（位置決め部２１ｂ）を設けることを特徴とする。このように構成することにより、当接部を遊技盤面上に沿わせながら、計測対象である風車を軸支する釘の最下部を位置決め部で挟み込むように保持することで位置決めし、計測窓部の中心と当該計測窓から覗ける釘の頭部の中心を想定し、その位置を比較することによってずれの有無またはずれの程度に基づき、風車の傾斜角を容易且つ迅速に計測することができる。
【０００６】
また、請求項２の発明においては、前記計測部は前記支持部に対して移動可能（支持部軸受突片２３ａ、計測部回転軸３０、と計測部軸受突片２９、３９により構成される蝶番構造）に設けられ、前記計測部と前記支持部が形成する角度の変更が可能であることを特徴とする。このように構成することにより、支持部に対して計測部の位置が固定されないため、風車と当該風車に隣接する複数の釘や部品との間隙が狭い場合でも、支持部に対して計測部を適宜移動して設定することで計測部が邪魔にならずに、風車傾斜角計測ゲージ自体を適当な角度に傾斜させながら、当接部を遊技盤面に当接するまで上記した間隙に挿入することが可能となるため、風車の設置条件に拘わらず風車の傾斜角を容易且つ迅速に計測することができる。
【０００７】
また、請求項３の発明においては、前記当接部には、前記釘に前記位置決め部を誘導する誘導溝（誘導部２１ｃ）を設け、該誘導溝に設けられた導入部（導入部２１ｄ）は外側方向に拡がる傾斜状に形成されることを特徴とする。このように構成することにより、当接部を遊技盤面上に沿わせながら、計測対象である風車を軸支する釘の最下部を位置決め部で挟み込む際、容易に位置決め作業を行うことができる。
【０００８】
また、請求項４の発明においては、前記計測窓部の周囲である計測窓周辺部（計測窓周辺部２５ｂ、３５ｂ）は、前記計測窓部の中心点を中心とする円形状に形成されると共に、前記計測窓周辺部の直径寸法値は前記風車の直径寸法値より小さいことを特徴とする。このように構成することにより、計測窓部による計測に加えて、計測窓周辺部に遮蔽されずに視認できる部分が、何れの方向にも均一の幅で視認できるか否かを判断することによっても、風車の傾斜角を容易且つ迅速に計測することができる。
【０００９】
また、請求項５の発明においては、前記計測窓部の周囲である計測窓周辺部には、前記計測窓部の中心点を中心とする複数の円弧状に形成されるスリット（第１計測用スリット２７ａ、ｂと第２計測用スリット２８ａ、ｂ）を、前記計測窓部の中心から所定間隔ごとに設けることを特徴とする。このように構成することにより、計測窓部の中心と当該計測窓部から覗ける釘の頭部の中心を想定し、その位置を比較する際、どの程度ずれているかを、スリット間の所定間隔に基づき、正確に計測することができる。
【００１０】
また、請求項６の発明においては、少なくとも前記計測部を、透過性を備えた素材により形成することを特徴とする。このように構成することにより、計測部によって釘の頭部を含む風車が被覆されても、当該被覆部分は透過性のある計測部を透かして視認可能である為、計測作業を容易に行うことができる。
【００１１】
また、請求項７の発明においては、前記計測窓部の周囲である前記計測窓周辺部には、前記計測窓部の中心点を中心として半径寸法の異なる複数の円弧状に形成されるライン（第１計測用ライン３７と第２計測用ライン３８）を、前記計測窓部の中心から所定間隔ごとに設けることを特徴とする。このように構成することにより、計測窓部の中心と当該計測窓部から覗ける釘の頭部の中心を想定し、その位置を比較する際、どの程度ずれているかを、ライン間の所定間隔に基づき、正確に計測することができる。
【００１２】
【発明の実施の形態】
以下、本発明の一実施形態について図面を参照して説明する。先ず本発明の計測対象である風車を備えた遊技盤について、図１を参照して説明する。図１は遊技盤の前面を示す正面図である。
【００１３】
本実施形態に係る第１種パチンコ遊技機（図示しない）は、方形状の外枠（図示しない）の前面側に枠基体（図示しない）を開閉自在に軸支し、更にその枠基体の前面にはガラス扉枠（図示しない）が開閉自在に軸支されている。枠基体には、図１で示すような遊技盤１が着脱自在に取り付けられ、遊技盤１の前面に円形状に取り付けられた誘導レール２の内側の領域である遊技領域３が、ガラス扉枠に開設されたほぼ円形状の開口から視認しうるように設けられている。
【００１４】
上記したと共に図１で示すように、遊技盤１には誘導レール２が設けられることで遊技盤１の盤面には遊技領域３が形成される。さらに遊技盤１の盤面には、誘導レール２の他にも図１で示すように複数種類の部品または装置等が設けられている。
【００１５】
例えば遊技領域３のほぼ中央には画像を表示することができるＬＣＤ表示器４を備えた可変表示装置５が設けられ、該可変表示装置５の下方には電動始動入賞口６が設けられ、さらにその下方には可変入賞球装置８が設けられている。また電動始動入賞口６の左右両側方には通過口７ａ、７ｂが設けられている。そして、遊技領域３の最下方には、アウト口１２が設けられている。
【００１６】
さらに、可変表示装置５の近傍且つ左側上方に風車１０ａ、同じく左側下方に風車１０ｂ、同じく右側下方に風車１０ｃが、それぞれ風車取付用釘１１ａ、１１ｂ、１１ｃによって回動自在に取り付けられている。また、遊技領域３における、上記した部品または装置等が設けられていない残りの領域には、図示したように多数の障害釘９が植設されている。該障害釘９及び前述した風車１０ａ、１０ｂ、１０ｃは、何れも後述する遊技球の落下（流下）方向を変化せしめる機能を有するものである。
【００１７】
このように構成された遊技盤１を備えるパチンコ遊技機において、遊技は遊技球を遊技領域３に発射することによって行われる。すなわち、遊技者が操作ハンドル（図示しない）を操作することで遊技球を発射し、該遊技球が上記した誘導レールに誘導されて遊技領域３のほぼ上部に送り込まれる。こうして送り込まれた遊技球は、前述の風車１０ａ、１０ｂ、１０ｃ及び障害釘９、さらに各部品や装置に接触することによって落下（流下）方向を変化せしめられながら、遊技領域３を落下する。この落下の過程において遊技球が、前述した可変入賞球装置８、電動始動入賞口６、または通過口７ａ、７ｂの何れかの入賞領域に入賞した場合は、所定の利益が遊技者に付与され、何れの入賞領域にも入賞しなかった場合は、アウト口に取り込まれる。
【００１８】
ところで、前述したように遊技球が何れかの入賞領域へ入賞する、入賞実現率は、パチンコ遊技機を採用する遊技店にとって、利益を左右する重要な項目の１つといえる。つまり、採用したパチンコ遊技機の入賞実現率が高すぎる場合、遊技店の利益率は下がり、入賞実現率が低すぎる場合、遊技者はそのパチンコ遊技機によって遊技することを忌避するため稼働率が下がる結果、やはり利益率が下がることになる。したがって、適当な入賞実現率への設定が要求され、そのためには、前述の障害釘９の傾斜角及び、本発明によって計測される風車１０ａ、１０ｂ、１０ｃの傾斜角の調整作業が必要となる。なお、当該傾斜角とは、風車１０ａ、１０ｂ、１０ｃが遊技盤１の盤面に対して垂直に取り付けられた状態を０°として、風車１０ａ、１０ｂ、１０ｃの遊技盤１の盤面に対する傾きを示す角度である。例えば、後述する図５（Ｂ）における風車１０ａ、１０ｂ、１０ｃの傾斜角とは、図示するα°である。
【００１９】
では、上記した傾斜角の調整作業の必要性について具体的に説明すると、前述したように図１で示す遊技領域３のほぼ中央には、可変表示装置５が広い面積を占めて設けられている。このため、遊技領域３の上部に送り込まれた遊技球は、可変表示装置５の左右両側方の幅の狭い領域を落下せざるをえない。しかし、入賞することで遊技者にとって有利な状態を発生させる電動始動入賞口６と可変入賞球装置８は、可変表示装置５の真下に設けられている。このため、上記した可変表示装置５の左右両側方を落下する遊技球が、電動始動入賞口６または可変入賞球装置８に入賞する可能性は極めて低いといえる。そこで、複数の障害釘９が、遊技領域３の左右両側方から中央の電動始動入賞口６または可変入賞球装置８の方向に向かって列状に植設されることで、入賞実現率が調整されている。
【００２０】
さらに、上記した列状に植設される障害釘９の始点付近には、風車１０ｂ、１０ｃが設けられている。すなわち、当該風車１０ｂ、１０ｃの作用によって、列状に植設される障害釘９の方向へ落下するか否かが決まる。具体的には、風車１０ｂを図示左方向、１０ｃを図示右方向へ傾斜させることで、風車１０ｂ、１０ｃ上に落下してきた遊技球の流れを、列状に植設される障害釘９の方向へ転換させることができる。したがって、風車１０ｂ、１０ｃの傾斜角の調整は、入賞実現率に影響を及ぼすものである。このようなことから、風車１０ａ、１０ｂ、１０ｃの傾斜角の調整作業が必要となる。
【００２１】
上記した調整作業の前提として、対象となる風車に調整作業を施す必要があるか否かの判断を行うために、風車の傾斜角の計測作業が実施される。当該作業において本実施形態の風車傾斜角計測ゲージ２０は用いられるものであり、すなわち、遊技球を発射することにより遊技が行われるパチンコ遊技機（遊技機）にて遊技球が落下する遊技盤１の盤面に植設される風車取付用釘（釘）１１ａ、１１ｂ、１１ｃにより回動自在に軸支されると共に遊技球の落下方向を変更する風車（風車）１０ａ、１０ｂ、１０ｃの遊技盤１の盤面に対する傾斜角を計測するためのゲージである。次にその構成について図２を参照して説明する。
【００２２】
図２は本実施形態の第１実施例に係る風車傾斜角計測ゲージ２０を示す全体斜視図である。なお、本実施形態における計測作業は、主にパチンコ遊技機を立設した状態で行われるものであって、図２における風車傾斜角計測ゲージ２０も計測作業に即した状態で示した。すなわち、図２の風車傾斜角計測ゲージ２０は後述する風車１０ａ、１０ｂ、１０ｃを取り付ける為に遊技盤１の盤面に植設された風車取付用釘１１ａ、１１ｂ、１１ｃに対して、位置決め部２１ｂを上方から当接した状態で図示したものである。
【００２３】
但し、本実施形態において風車傾斜角計測ゲージ２０は、上記したような上方からの当接に限定することなく、障害となるものが無い限り風車取付用釘１１ａ、１１ｂ、１１ｃを中心としてあらゆる方向からの当接が可能である。
【００２４】
また、上記したように本実施形態における計測作業は、主にパチンコ遊技機を立設した状態で行われるものであるが、風車傾斜角計測ゲージ２０は、パチンコ遊技機を横に倒した状態で行われる計測作業においても、同様の効果を奏するものである。
【００２５】
風車傾斜角計測ゲージ２０は、遊技盤１の盤面に当接する遊技盤当接面（当接面）２１ａを備えた当接部２１と、風車１０ａ、１０ｂ、１０ｃの遊技盤１の盤面側と逆の風車表層面部（表層面）１３ａ、１３ｂ、１３ｃに面すると共に風車１０ａ、１０ｂ、１０ｃの遊技盤１の盤面に対する傾斜角を計測するための計測窓部２５ａが設けられた計測部２５と、計測部２５を当接部２１に対して所定の位置で支持する支持部２３と、を備えている。
【００２６】
さらに詳述すると、ほぼ平板状に形成された当接部２１の一側端部のやや内側には当接部２１の板厚方向に向かって位置決め部２１ｂが半円形状に形成され、該位置決め部２１ｂから長手方向の外側に向かって、上記した半円形状の弦の長さを一定の溝幅とする誘導部２１ｃが形成され、誘導部２１ｃからさらに外側に向かって導入部２１ｄが両方向に拡がる傾斜状（図４参照）に形成されている。
【００２７】
一方、当接部２１の導入部２１ｄ側とは反対側の端部には、支持部２３が立設され、支持部２３の当接部２１側とは反対側の端部には支持部軸受突片２３ａが突設され、該支持部軸受突片２３ａは計測部２５の一側端部の両側方に突設された計測部軸受突片２９と嵌め合わせた上で、計測部回転軸３０を貫設して蝶番状に構成することによって計測部２５を開閉自在に軸支している。また、支持部軸受突片２３ａの両側方には支持部２３の下面側方向に向かって断面形状が直角三角形状に形成される突起部２３ｂが突設されている。
【００２８】
計測部２５は、前方後円形状に形成され、方形状部の一端部に上記した計測部軸受突片２９が突設され、方形状部の他端部には計測窓周辺部２５ｂが方形状部と一体的且つ円形状に形成され、計測窓周辺部２５ｂの中央には当接部２１側に計測窓周縁部２５ｃを周設した計測窓部２５ａが穿設される。
【００２９】
計測窓周辺部２５ｂの軸支側には、計測窓部２５ａの中心をその中心として、ほぼ半円弧状の第１計測用スリット２７ａと、第１計測用スリット２７ａより半径の大きな第２計測用スリット２８ａが形成され、計測窓周辺部２５ｂの軸支側とは反対側部には、第１計測用スリット２７ａと半径の等しい第１計測用スリット２７ｂと、第２計測用スリット２８ａと半径の等しい第２計測用スリット２８ｂが、板厚方向に向かって形成される。
【００３０】
次に、上記したように構成される本実施例の風車傾斜角計測ゲージ２０の作用について図面を参照して説明する。
【００３１】
図３は、本実施例における風車傾斜角計測ゲージ２０の位置決め方法を説明する概略説明図である。
【００３２】
先ず、図３（Ａ）で示すように、風車傾斜角計測ゲージ２０の計測部２５を開放し、当接部２１を位置決め部２１ｂ側から遊技盤１方向に接近させ、当接部２１の導入部２１ｄを風車取付用釘１１ａ、１１ｂ、１１ｃの根元に接近させる。
【００３３】
次に、、図３（Ｂ）で示すように、遊技盤当接面２１ａを遊技盤１の盤面に密着するように当接部２１を傾けつつ、さらに導入部２１ｄを風車取付用釘１１ａ、１１ｂ、１１ｃの根元に接近させ、風車取付用釘１１ａ、１１ｂ、１１ｃの根元を導入部２１ｄで捉えるとそのまま誘導部２１ｃによって誘導し、位置決め部２１ｂに位置決めすると、開放していた計測部２５を突起部２３ｂによって支持される位置、すなわち遊技盤当接面２１ａと平行となる位置まで閉成させて、図３（Ｃ）で示すように位置決めが完了する。
【００３４】
なお、本実施形態においては、突起部２３ｂを突設したものを例示したが、計測部２５を遊技盤当接面２１ａと平行となる位置で支持することが可能であればこの方法に限らず他の方法を用いても良い。例えば、支持部軸受突片２３ａの下方近傍に、支持部２３に対して垂直に嵌め込み孔を穿設し、この嵌め込み孔に円柱状の部材を嵌入することで当該部材を突設し、支持部２３の下面方向に突き出た円柱状の部材の側面部で計測部２５を支持するような、技術上簡素な構成を用いても良い。
【００３５】
なお、上記した計測部２５を開放した状態で位置決めする方法は、遊技盤１の盤面上に設けられた風車１０ａ、１０ｂ、１０ｃと、他の部品（図３においては障害釘９）等との間隙寸法Ａ（図３（Ａ）に示す）が、当接部２１の長さ寸法Ｂ（図３（Ｃ）に示す）より小さい場合、すなわち遊技盤１の盤面に対して当接部２１を平行な状態に維持しながら接近させることが不可能な場合に有効であって、必ずしも計測部２５を開放した状態でなければ位置決めできないものではない。つまり、間隙寸法Ａが当接部２１の長さ寸法Ｂより大きい場合は、計測部２５を閉成した状態で遊技盤１の盤面に当接し、風車取付用釘１１ａ、１１ｂ、１１ｃに向かって遊技盤１の盤面に沿わせるようにして移動させ位置決めすればよい。
【００３６】
上記したように、本実施形態における風車傾斜角計測ゲージ２０は、計測部２５が支持部２３に対して開閉可能に軸支されている。つまり、計測部２５は支持部２３に対して移動可能に設けられ、計測部２５と支持部２３が形成する角度の変更が可能に構成されている。
【００３７】
また、本実施形態における風車傾斜角計測ゲージ２０は、図３（Ｃ）で示すように、風車取付用釘１１ａ、１１ｂ、１１ｃのほぼ半球状に形成された風車取付用釘頭部１４ａ、１４ｂ、１４ｃにおいて、遊技盤１の盤面から最も離れた位置にある風車取付用釘頭頂部１５ａ、１５ｂ、１５ｃまでの長さ寸法Ｃより、遊技盤当接面２１ａから計測窓周縁部２５ｃまでの寸法Ｄが大きくなるように設定されている。
【００３８】
つまり、遊技盤当接面（当接面）２１ａと計測窓部（計測窓部）２５ａの風車取付用釘（釘）１１ａ、１１ｂ、１１ｃ側の計測窓周縁部（周縁部）２５ｃとの距離は、風車取付用釘１１ａ、１１ｂ、１１ｃが遊技盤１の盤面に植設されたときの遊技盤１の盤面から風車１０ａ、１０ｂ、１０ｃの風車表層面部１３ａ、１３ｂ、１３ｃ（表層面）まで、及び風車１０ａ、１０ｂ、１０ｃを軸支する風車取付用釘（釘）１１ａ、１１ｂ、１１ｃの風車取付用釘頭頂部（頭頂部）１５ａ、１５ｂ、１５ｃまでの何れの長さより長く設定されている。
【００３９】
これにより、風車取付用釘１１ａ、１１ｂ、１１ｃの風車取付用釘頭頂部１５ａ、１５ｂ、１５ｃや風車１０ａ、１０ｂ、１０ｃの外周部が計測部２５に接触して持ち上げることは無いので、常に計測部２５は遊技盤１に対して平行に位置し、風車の傾斜角の計測が正確に行うことができる。さらに、前述の計測部２５を閉成した状態で位置決めする場合においても、計測部２５の先端部が風車１０ａ、１０ｂ、１０ｃに突き当たることなく位置決め可能である。
【００４０】
概ね上記したようにして風車傾斜角計測ゲージ２０は位置決めされるものであるが、前述した風車取付用釘１１ａ、１１ｂ、１１ｃの根元を導入部２１ｄで捉え、誘導部２１ｃによって誘導し、位置決め部２１ｂで位置決めする過程について、次に図４を参照して詳述する。
【００４１】
図４は、本実施形態における風車傾斜角計測ゲージ２０の位置決め過程を説明する概略図である。
【００４２】
図４（Ａ）には当接部２１の導入部２１ｄによって風車取付用釘１１ａ、１１ｂ、１１ｃを捉える状態が示されている。なお、図には風車取付用釘１１ａ、１１ｂ、１１ｃの根元部の断面が示されている。
【００４３】
風車取付用釘１１ａ、１１ｂ、１１ｃを、当接部２１の内側から外側に広がるように傾斜した導入部２１ｄによって形成されるほぼ扇状の領域に捉えることで、当接部２１を概ね風車取付用釘１１ａ、１１ｂ、１１ｃの方向（図示した矢印方向）に向かって移動させれば、たとえ導入部２１ｄに接触しても導入部２１ｄは傾斜状に形成されているために、拡がり傾斜の始点に位置する誘導部２１ｃが風車取付用釘１１ａ、１１ｂ、１１ｃを捉え、続いて誘導部２１ｃを風車取付用釘１１ａ、１１ｂ、１１ｃに沿わせながら当接部２１をさらに矢印方向に移動させることで、図４（Ｂ）に示すような状態で位置決めを完了することができる。
【００４４】
すなわち、風車取付用釘（釘）１１ａ、１１ｂ、１１ｃに当接することによって、風車取付用釘１１ａ、１１ｂ、１１ｃの断面中心に対して位置決めするために当接部２１に設けられた、位置決め部により位置決めが完了することができる。
【００４５】
上記したように、本実施形態の当接部２１には、風車取付用釘（釘）１１ａ、１１ｂ、１１ｃに位置決め部２１ｂを誘導する誘導部（誘導溝）２１ｃを設け、誘導部２１ｃに設けられた導入部２１ｄは外側方向に拡がる傾斜状に形成されるものである。
【００４６】
なお、位置決め部２１ｂは半円形状に形成され、該半円形状の弦の長さであり誘導部２１ｃの溝幅の寸法は、風車取付用釘１１ａ、１１ｂ、１１ｃの根元部断面の直径寸法より、僅かに大きく設定されている。したがって、位置決め完了した状態において（図４（Ｂ）参照）、風車取付用釘１１ａ、１１ｂ、１１ｃの中心と、位置決め部２１ｂにおける半円形状の弦の中点は、ほぼ合致した同じ位置にあると看做すことが可能となる。
【００４７】
では次に、以上のようにして位置決めされた風車傾斜角計測ゲージ２０による計測をおこなう際に、先ず計測対象の風車１０ａ、１０ｂ、１０ｃが傾斜しているか否か、また傾斜しているのであれば何れの方向に向かって傾斜しているのかを判断する方法について、図５を参照して説明する。
【００４８】
図５は、本実施形態の計測時における風車傾斜角計測ゲージ２０と風車１０ａ、１０ｂ、１０ｃの状態を説明する概略説明図である。
【００４９】
図５（Ａ）は、遊技盤１に対して垂直に取り付けられている風車１０ａ、１０ｂ、１０ｃを計測対象にした場合の状態を示し、図５（Ｂ）は、遊技盤１に対して一定の角度に傾斜して取り付けられている風車１０ａ、１０ｂ、１０ｃを計測対象にした場合の状態を示すものである。
【００５０】
先ず、図５（Ａ）に示す遊技盤１に対して垂直に取り付けられている風車１０ａ、１０ｂ、１０ｃを計測対象にした場合の状態について説明する。
【００５１】
前述した図４において、本実施形態の風車傾斜角計測ゲージ２０は、当接部２１に半円形状に形成された位置決め部２１ｂを備え、位置決め完了した状態における風車取付用釘１１ａ、１１ｂ、１１ｃの中心と、位置決め部２１ｂにおける半円形状の弦の中点は、ほぼ合致した同じ位置にあると看做すことができる旨を説明した。この位置決め完了した状態における風車取付用釘１１ａ、１１ｂ、１１ｃの中心を通るとともに遊技盤１に対して垂直に伸びる直線（一点鎖線で示す）は、計測窓部２５ａの中心を通るように構成されている。つまり、位置決め部２１ｂに位置決めされた風車取付用釘（釘）１１ａ、１１ｂ、１１ｃの断面中心（位置決め部２１ｂにおける半円形状の弦の中点）と計測窓部２５ａの中心は、何れも遊技盤当接面（当接面）２１ａに対して想定される１本の垂直線（図示する一点鎖線）上に位置する。
【００５２】
したがって、風車取付用釘１１ａ、１１ｂ、１１ｃが遊技盤１に垂直に植設されている場合、図示のように、計測窓部２５ａの中央に、風車取付用釘１１ａ、１１ｂ、１１ｃの円形の風車取付用釘頭部（頭部）１４ａ、１４ｂ、１４ｃの全てを視認できる状態となる。換言すれば、計測窓部２５ａが形成する円と、風車取付用釘頭部１４ａ、１４ｂ、１４ｃが形成する円の中心が合致する、所謂同心円になる状態である。つまり、計測窓部２５ａの中心に風車取付用釘頭部１４ａ、１４ｂ、１４ｃが視認できれば、風車取付用釘１１ａ、１１ｂ、１１ｃは垂直に植設されていると看做すことができるため、風車１０ａ、１０ｂ、１０ｃの傾斜角は０°と判断できる。
【００５３】
また、上記したように本実施形態の計測窓部２５ａの直径は、風車取付用釘１１ａ、１１ｂ、１１ｃの風車取付用釘頭部１４ａ、１４ｂ、１４ｃの直径よりも大きく形成されている。すなわち、計測窓部２５ａは、風車取付用釘１１ａ、１１ｂ、１１ｃの風車取付用釘頭部（頭部）１４ａ、１４ｂ、１４ｃより大きな形状に形成されるものである。
【００５４】
このような計測窓部２５ａを中央に備える計測窓周辺部２５ｂが、計測窓部２５ａの周囲にほぼ円形状に形成される。つまり、計測窓部２５ａの周囲である計測窓周辺部２５ｂは、計測窓部２５ａの中心点を、その中心とするほぼ円形状に形成され、且つ図で示すように風車１０ａ、１０ｂ、１０ｃの円形部の直径寸法よりも小さな直径寸法の円形状に形成されている。したがって、図５（Ａ）のように風車取付用釘１１ａ、１１ｂ、１１ｃが遊技盤１に垂直に植設されている場合、風車１０ａ、１０ｂ、１０ｃの中心に計測窓周辺部２５ｂが位置するように、視認できる。つまり、風車１０ａ、１０ｂ、１０ｃの中心に計測窓周辺部２５ｂが視認できれば、すなわち、風車１０ａ、１０ｂ、１０ｃの計測窓周辺部２５ｂに遮蔽されずに視認できる部分が、何れの方向（計測部２５の方形状部に遮蔽された部分を除く）にも均一の幅で視認できれば、風車１０ａ、１０ｂ、１０ｃの傾斜角は０°と判断できる。
【００５５】
本実施形態の風車傾斜角計測ゲージ２０は、風車１０ａ、１０ｂ、１０ｃの傾斜角が０°であるか否かの判断（計測）を、計測窓部２５ａのみならず計測窓周辺部２５ｂを用いても行えるように構成されている。
【００５６】
次に、図５（Ｂ）に示す遊技盤１に対して一定の角度に傾斜して取り付けられている風車１０ａ、１０ｂ、１０ｃを計測対象にした場合の状態について説明する。
【００５７】
なお、本実施形態の風車傾斜角計測ゲージ２０は、風車１０ａ、１０ｂ、１０ｃが何れの方向に傾斜している場合でも、風車傾斜角計測ゲージ２０の設置位置を変更することなく使用可能に構成されるが、当該図面ではその一例のみを示す。
【００５８】
風車１０ａ、１０ｂ、１０ｃが一定の角度に傾斜して取り付けられている場合には、図で示すように、風車取付用釘１１ａ、１１ｂ、１１ｃの風車取付用釘頭部１４ａ、１４ｂ、１４ｃは計測窓部２５ａの中心から何れかの方向（この例では矢印が指すＡの方向）にずれて視認され、また当該方向に向かって、風車１０ａ、１０ｂ、１０ｃの計測窓周辺部２５ｂに遮蔽されずに視認できる部分の幅が最も広く視認される。言い換えれば、ある方向に向かって、風車取付用釘頭部１４ａ、１４ｂ、１４ｃが計測窓部２５ａの中心からずれ、且つ風車１０ａ、１０ｂ、１０ｃの計測窓周辺部２５ｂに遮蔽されずに視認できる部分の幅が最も広く視認されるときには、風車１０ａ、１０ｂ、１０ｃは、当該方向に向かって一定の角度で傾斜していると看做すことができる。
【００５９】
なお、前述したように、風車取付用釘頭部１４ａ、１４ｂ、１４ｃより計測窓部２５ａは大きく形成されている為、傾斜角が小さい場合には計測窓部２５ａの中心からずれても風車取付用釘頭部１４ａ、１４ｂ、１４ｃの全てが視認でき、傾斜角が大きくなるに伴って風車取付用釘頭部１４ａ、１４ｂ、１４ｃは計測窓周辺部２５ｂに遮蔽されることで計測窓部２５ａから視認できる部分が少なくなり（図５（Ｂ））、さらに傾斜角が大きくなると風車取付用釘頭部１４ａ、１４ｂ、１４ｃは計測窓部２５ａから視認することが不可能となる。しかして、図示した風車１０ａ、１０ｂ、１０ｃは、風車取付用釘頭部１４ａ、１４ｂ、１４ｃのほぼ半分が計測窓周辺部２５ｂに遮蔽され、残りの部分が計測窓部２５ａから視認できる状態であることからして、遊技盤１の盤面に対して一定の角度（図示したα°）で傾斜していると看做すことができる。
【００６０】
上記したように、本実施形態の風車傾斜角計測ゲージ２０を使用して風車１０ａ、１０ｂ、１０ｃの傾斜角を計測するとき、計測窓部２５ａ及び計測窓周辺部２５ｂに対して風車取付用釘頭部１４ａ、１４ｂ、１４ｃ及び風車１０ａ、１０ｂ、１０ｃが、図５（Ａ）に示したように視認されれば傾斜角は０°として、また図５（Ｂ）に示したように視認されれば一定の角度で傾斜していることが一目瞭然に判断できる。
【００６１】
さらに、本実施形態の風車傾斜角計測ゲージ２０は、計測窓周辺部２５ｂに備えた第１計測用スリット２７ａ、ｂ及び第２計測用スリット２７ａ、ｂを用いることで、後述する方法により風車１０ａ、１０ｂ、１０ｃの傾斜角を計測可能に構成されている。では、次に計測方法についてのより詳細な説明を、図６を参照して行う。
【００６２】
図６は、第１実施例及び後述する第２実施例における計測状態を示す概略説明図である。
【００６３】
図６（Ａ）には、計測時における第１実施例の計測部２５と、風車１０ａ、１０ｂ、１０ｃと、風車取付用釘１１ａ、１１ｂ、１１ｃの風車取付用釘頭部１４ａ、１４ｂ、１４ｃと、が示されている。なお、図示された風車１０ａ、１０ｂ、１０ｃ及び風車取付用釘頭部１４ａ、１４ｂ、１４ｃは、傾斜角が０°の場合が実線で、傾斜角が小さい場合と大きい場合が破線で示されている。
【００６４】
前述したように、計測窓部２５ａの周囲である計測窓周辺部２５ｂには、計測窓部２５ａの中心点を中心とする円弧状に形成される第１計測用スリット２７ａ、ｂと第２計測用スリット２８ａ、ｂが、計測窓部２５ａの中心から所定間隔ごとに設けられている。
【００６５】
本実施例では、風車１０ａ、１０ｂ、１０ｃの傾斜角度によって風車取付用釘頭部１４ａ、１４ｂ、１４ｃが、計測部２５越しのどの位置に視認されるかを、予め計算により割り出しておき、所定の傾斜角度における風車取付用釘頭部１４ａ、１４ｂ、１４ｃの想定位置に対応する状態で、計測窓部２５ａと第１計測用スリット２７ａ、ｂと第２計測用スリット２８ａ、ｂを形成している。
【００６６】
さらに詳述すれば、傾斜角度が３°の場合は風車取付用釘頭部１４ａ、１４ｂ、１４ｃの傾斜方向側の頂点が計測窓部２５ａに接するように計測窓部２５ａを形成し、傾斜角度が５°の場合は風車取付用釘頭部１４ａ、１４ｂ、１４ｃの傾斜方向側の頂点が第１計測用スリット２７ａ、ｂの外側の円弧に接するように第１計測用スリット２７ａ、ｂを形成し、さらに傾斜角度が１５°の場合は風車取付用釘頭部１４ａ、１４ｂ、１４ｃの傾斜方向側の頂点が第２計測用スリット２８ａ、ｂの外側の円弧に接するように第２計測用スリット２８ａ、ｂを形成する。
【００６７】
以上のように形成された計測窓部２５ａ、第１計測用スリット２７ａ、ｂ及び第２計測用スリット２８ａ、ｂから、風車取付用釘頭部１４ａ、１４ｂ、１４ｃの位置を視認することで、風車１０ａ、１０ｂ、１０ｃの傾斜角を計測する。
【００６８】
具体的に図６（Ａ）において破線で示す、傾斜角度の異なる２種類の風車１０ａ、１０ｂ、１０ｃの傾斜角度を計測する方法を説明する。
【００６９】
先ず、傾斜角の小さい場合、風車取付用釘頭部１４ａ、１４ｂ、１４ｃは計測窓部２５ａにほぼ接する状態にある。したがって、この風車１０ａ、１０ｂ、１０ｃの傾斜角はほぼ３°と計測される。
【００７０】
次に、傾斜角の小さい場合、風車取付用釘頭部１４ａ、１４ｂ、１４ｃは第２計測用スリット２８ｂの外側の円弧に接する状態にある。したがって、この風車１０ａ、１０ｂ、１０ｃの傾斜角は１５°と計測される。
【００７１】
上記した傾斜角が異なる２種類の風車１０ａ、１０ｂ、１０ｃの場合はどちらも、図示した縦の線（１点鎖線）上の計測窓部２５ａの中心から下方向にのみ視認される状態であるが、本実施例の第１計測用スリット２７ａ、ｂと第２計測用スリット２８ａ、ｂは、計測窓部２５ａの周囲である計測窓周辺部２５ｂに、計測窓部２５ａの中心点を中心とする円弧状に形成されることから、ほぼ何れの方向に風車１０ａ、１０ｂ、１０ｃが傾斜している場合でも、前述と同様に計測できる。
【００７２】
但し、図示した横の線（１点鎖線）上の計測窓部２５ａの中心から左右両方向に向かって傾斜する風車１０ａ、１０ｂ、１０ｃを計測対象とする場合に限り、第１計測用スリット２７ａと２７ｂとの中断部または、第２計測用スリット２８ａと２８ｂとの中断部に、風車取付用釘頭部１４ａ、１４ｂ、１４ｃが遮蔽される為、計測不能となる。しかし、そのような場合は、風車傾斜角計測ゲージ２０自体を風車取付用釘１１ａ、１１ｂ、１１ｃを中心として僅かに回転させた位置に再度位置決めすることで計測可能な状態となる。このような事情から、各スリットの中断部は可能な限り、小さく形成されることが望ましい。
【００７３】
図６（Ｂ）は、後述する第２実施例の計測時における計測部３５と、風車１０ａ、１０ｂ、１０ｃと、風車取付用釘１１ａ、１１ｂ、１１ｃの風車取付用釘頭部１４ａ、１４ｂ、１４ｃと、が示されており、先ず図７を参照して第２実施例の構成を説明した後に、説明する。
【００７４】
図７は本実施形態の第２実施例に係る風車傾斜角計測ゲージ３１を示す全体斜視図である。
【００７５】
第２実施例に係る風車傾斜角計測ゲージ３１と前述した第１実施例に係る風車傾斜角計測ゲージ２０は、計測部３５と計測部２５の構成が異なる点以外の構成を同じにするものである。したがって、以下の説明においては、計測部３５についてのみ説明する。
【００７６】
計測部３５は、透過性を備えた素材により前方後円形状に形成され、方形状部の一端部に計測部軸受突片３９が突設され、方形状部の他端部には計測窓周辺部３５ｂが方形状部と一体的且つ円形状に形成され、計測窓周辺部３５ｂの中央には当接部２１側に計測窓周縁部３５ｃを周設した計測窓部３５ａが穿設される。
【００７７】
計測窓部３５ａの周囲である計測窓周辺部３５ｂには、計測窓部３５ａの中心をその中心として、円弧状の第１計測用ライン３７と、第１計測用ライン３７より半径寸法の大きな第２計測用ライン３８が、計測窓部３５ａの中心から所定間隔ごとに設けられている。
【００７８】
次に、上記したように構成される第２実施例の風車傾斜角計測ゲージ３１の作用について、前述した図６（Ｂ）を参照して説明する。
【００７９】
図６（Ｂ）は、第２実施例の計測時における計測部３５と、風車１０ａ、１０ｂ、１０ｃと、風車取付用釘１１ａ、１１ｂ、１１ｃの風車取付用釘頭部１４ａ、１４ｂ、１４ｃと、が示されている。
【００８０】
なお、図示された風車１０ａ、１０ｂ、１０ｃ及び風車取付用釘頭部１４ａ、１４ｂ、１４ｃは、傾斜角が０°の場合が実線で、さらに傾斜角が小さい場合と大きい場合が破線で示されている。
【００８１】
前述したように、計測窓部３５ａの周囲である計測窓周辺部３５ｂには、計測窓部３５ａの中心点を中心とする円弧状に形成される第１計測用ライン３７、と第２計測用ライン３８が、計測窓部３５ａの中心から所定間隔ごとに設けられている。
【００８２】
本実施例では、風車１０ａ、１０ｂ、１０ｃの傾斜角度によって風車取付用釘頭部１４ａ、１４ｂ、１４ｃが、計測部３５越しのどの位置に視認されるかを、予め計算により割り出しておき、所定の傾斜角度における風車取付用釘頭部１４ａ、１４ｂ、１４ｃの想定位置に対応する状態で、計測窓部３５ａと第１計測用ライン３７、と第２計測用ライン３８を形成している。
【００８３】
さらに詳述すれば、傾斜角度が３°の場合は風車取付用釘頭部１４ａ、１４ｂ、１４ｃが計測窓部３５ａに接するように計測窓部３５ａを形成し、傾斜角度が５°の場合は風車取付用釘頭部１４ａ、１４ｂ、１４ｃが第１計測用ライン３７の円弧に接するように第１計測用ライン３７を形成し、さらに傾斜角度が１５°の場合は風車取付用釘頭部１４ａ、１４ｂ、１４ｃが第２計測用ライン３８の円弧に接するように第２計測用ライン３８を形成する。
【００８４】
以上のように計測窓部３５ａ、第１計測用ライン３７及び第２計測用ライン３８が形成されるとともに、透過性を有する素材によって成型された計測部３５を透かして、風車取付用釘頭部１４ａ、１４ｂ、１４ｃの位置を視認することで、風車１０ａ、１０ｂ、１０ｃの傾斜角を計測する。
【００８５】
具体的に図６（Ｂ）において破線で示す、傾斜角度の異なる２種類の風車１０ａ、１０ｂ、１０ｃの傾斜角度を計測する方法を説明する。
【００８６】
先ず、傾斜角の小さい場合、風車取付用釘頭部１４ａ、１４ｂ、１４ｃは計測窓部３５ａにほぼ接する状態にある。したがって、この風車１０ａ、１０ｂ、１０ｃの傾斜角はほぼ３°と計測される。
【００８７】
次に、傾斜角の小さい場合、風車取付用釘頭部１４ａ、１４ｂ、１４ｃは第２計測用ライン３８の円弧に接する状態にある。したがって、この風車１０ａ、１０ｂ、１０ｃの傾斜角は１５°と計測される。
【００８８】
上記した傾斜角が異なる２種類の風車１０ａ、１０ｂ、１０ｃの場合はどちらも、図示した縦の線（１点鎖線）上の計測窓部３５ａの中心から下方向にのみ視認される状態であるが、本実施例の第１計測用ライン３７と第２計測用ライン３８は、計測窓部３５ａの周囲である計測窓周辺部３５ｂに、計測窓部３５ａの中心点を中心とする円弧状に形成されることから、何れの方向に風車１０ａ、１０ｂ、１０ｃが傾斜している場合でも、前述と同様に計測できる。この点、本実施例の第１計測用ライン３７と第２計測用ライン３８は途切れることなく形成されている為、実施例１の場合（図６（Ａ）参照）のように、各計測用スリットの中断部に遮蔽されることによって計測不能となることはない。したがって、本実施例の場合、一旦位置決めされれば再位置決めすることなく計測作業を完了することができる。
【００８９】
以上に説明してきた方法によって、本実施形態における第２実施例の風車傾斜角計測ゲージ３１による計測作業が行われるものである。
【００９０】
なお、本実施形態における計測部２５及び３５は、支持部２３に対して周知の技術である蝶番の構成によって、開閉可能に軸支されるものであるが、計測部が支持部に対して移動可能に設けられ、計測部と支持部が形成する角度の変更が可能であれば、他の方法でも良い。例えば、支持部に対して計測部がスライドするように構成されるものでも良い。
【００９１】
また、第２実施例の第１計測用ライン３７と第２計測用ライン３８は、計測窓周辺部３５ｂの風車取付用釘１１ａ、１１ｂ、１１ｃ側の面に設けることが望ましい。このように構成することにより、風車取付用釘１１ａ、１１ｂ、１１ｃの風車取付用釘頭部１４ａ、１４ｂ、１４ｃに近い位置にある各計測用ラインを基準にして視認できるので、誤差の少ない計測が可能となる。
【００９２】
また、上記した第２実施例の計測窓周辺部３５ｂには、第１計測用ライン３７と第２計測用ライン３８のみが設けられる場合を説明したが、さらに多くの計測用ラインを備えても良い。
【００９３】
また、第２実施例は計測部３５に計測窓部３５ａが穿設されたものを説明したが、必ずしも計測窓部３５ａが穿設されていなければならないものではなく、穿孔されていない計測窓部でもよい。すなわち、透過性を備えた素材により形成されている第２実施例の計測部３５に、第１計測用ライン３７または第２計測用ライン３８と同様に、計測窓部としてのラインを設けたものでも良い。なお、この場合のラインは、計測部３５の風車１０ａ、１０ｂ、１０ｃ側の面に設けられるのが望ましい。
【００９４】
また、第２実施例の計測窓周辺部３５ｂには、第１計測用ライン３７と第２計測用ライン３８のみが設けられる場合を説明したが、計測用ラインと、第１実施例の計測用スリットを共に備えたものでも良い。このように構成することにより、計測用スリットと計測用ラインを交互に備えることで、技術的に計測用スリットを設けることが不可能な間隔にも計測用ラインであれば備えることが可能である為、よりきめの細かい計測作業を行うことができる。
【００９５】
また、本実施形態における計測窓部３５ａの形状は円形であるものを説明したが、これに限らず、計測窓部３５ａの形状は正多角形に形成されたものでも良い。然るに、計測対象の風車１０ａ、１０ｂ、１０ｃの傾斜方向に拘わらず、何れの方向に傾斜している場合にも同じ条件で計測できる点において、計測窓部３５ａの形状は円形であることがより望ましい。
【００９６】
また、本実施形態における遊技機は第１種パチンコ遊技機を例示したが、これに限らず、風車を備えた遊技機であれば他の遊技機、すなわち第２種パチンコ遊技機、第３種パチンコ遊技機等であっても良い。
【００９７】
さらに、上記した実施形態では、可変表示装置５の構成としてＬＣＤ表示器４を採用したものを例示したが、風車を備えた遊技機であれば可変表示装置５の構成は、特にこれに限定するものではなく、ＣＲＴ、ＬＥＤ、ＶＦＤ、ＥＬ、あるいはプラズマによる表示器や、ドラム式又はリール式を採用して構成するものであっても良い。
【００９８】
【発明の効果】
以上、説明したところから明らかなように、請求項１の発明においては、当接部を遊技盤面上に沿わせながら、計測対象である風車を軸支する釘の最下部を位置決め部で挟み込むように保持することで位置決めし、計測窓部の中心と当該計測窓から覗ける釘の頭部の中心を想定し、その位置を比較することによってずれの有無またはずれの程度に基づき、風車の傾斜角を容易且つ迅速に計測することができる。
【００９９】
また、請求項２の発明においては、支持部に対して計測部の位置が固定されないため、風車と当該風車に隣接する複数の釘や部品との間隙が狭い場合でも、支持部に対して計測部を適宜移動して設定することで計測部が邪魔にならずに、風車傾斜角計測ゲージ自体を適当な角度に傾斜させながら、当接部を遊技盤面に当接するまで上記した間隙に挿入することが可能となるため、風車の設置条件に拘わらず風車の傾斜角を容易且つ迅速に計測することができる。
【０１００】
また、請求項３の発明においては、当接部を遊技盤面上に沿わせながら、計測対象である風車を軸支する釘の最下部を位置決め部で挟み込む際、容易に位置決め作業を行うことができる。
【０１０１】
また、請求項４の発明においては、計測窓部による計測に加えて、計測窓周辺部に遮蔽されずに視認できる部分が、何れの方向にも均一の幅で視認できるか否かを判断することによっても、風車の傾斜角を容易且つ迅速に計測することができる。
【０１０２】
また、請求項５の発明においては、計測窓部の中心と当該計測窓部から覗ける釘の頭部の中心を想定し、その位置を比較する際、どの程度ずれているかを、スリット間の所定間隔に基づき、正確に計測することができる。
【０１０３】
また、請求項６の発明においては、計測部によって釘の頭部を含む風車が被覆されても、当該被覆部分は透過性のある計測部を透かして視認可能である為、計測作業を容易に行うことができる。
【０１０４】
さらに、請求項７の発明においては、計測窓部の中心と当該計測窓部から覗ける釘の頭部の中心を想定し、その位置を比較する際、どの程度ずれているかを、ライン間の所定間隔に基づき、正確に計測することができる。
【図面の簡単な説明】
【図１】遊技盤の前面を示す正面図である。
【図２】本実施形態の第１実施例に係る風車傾斜角計測ゲージを示す全体斜視図である。
【図３】本実施例における風車傾斜角計測ゲージの位置決め方法を説明する概略説明図である。
【図４】本実施形態における風車傾斜角計測ゲージの位置決め過程を説明する概略図である。
【図５】本実施形態の計測時における風車傾斜角計測ゲージと風車の状態を説明する概略説明図である。
【図６】第１実施例及び第２実施例における計測状態を示す概略説明図である。
【図７】本実施形態の第２実施例に係る風車傾斜角計測ゲージを示す全体斜視図である。
【符号の説明】
１  遊技盤（遊技盤面）
３  遊技領域（遊技領域）
１０ａ、ｂ、ｃ  風車（風車）
１１ａ、ｂ、ｃ  風車取付用釘（釘）
１４ａ、ｂ、ｃ  風車取付用釘頭部（釘の頭部）
１５ａ、ｂ、ｃ  風車取付用釘頭頂部（釘の頭頂部）
２０  風車傾斜角計測ゲージ（風車傾斜角計測ゲージ）
２１  当接部（当接部）
２１ａ  遊技盤当接面（当接面）
２１ｂ  位置決め部（位置決め部）
２１ｃ  誘導部（誘導溝）
２１ｄ  導入部（導入部）
２３  支持部（支持部）
２５  計測部（計測部）
２５ａ  計測窓部（計測窓部）
２５ｂ  計測窓周辺部（計測窓周辺部）
２５ｃ  計測窓周縁部（周縁部）
２７ａ、ｂ  第１計測用スリット（スリット）
２８ａ、ｂ  第２計測用スリット（スリット）
３１  風車傾斜角計測ゲージ（風車傾斜角計測ゲージ）
３５  計測部（計測部）
３５ａ  計測窓部（計測窓部）
３５ｂ  計測窓周辺部（計測窓周辺部）
３５ｃ  計測窓周縁部（周縁部）
３７  第１計測用ライン（ライン）
３８  第２計測用ライン（ライン）
【図１】
2004283502.tif 000003
【図２】
2004283502.tif 000004
【図３】
2004283502.tif 000005
【図４】
2004283502.tif 000006
【図５】
2004283502.tif 000007
【図６】
2004283502.tif 000008
【図７】
2004283502.tif 000009